(57)【要約】      （修正有）【課題】紙とＣＤの細断装置を提供する。【解決手段】一般の従来式の紙の細断装置において、既存の刃具の傍に、さらに、２組の接続ギアによる接続される刃具ギアが設けられ、二つの互いに寄り添う円柱形刃具からなる当該刃具は、表面に浮彫りが設けられ、ＣＤを、上蓋にあるＣＤ入れ口を介して当該刃具の二つの刃具に入れると、刃具の表面にある浮彫りにより、ＣＤが破壊される。【選択図】図４
0003115527.tif 000002
【実用新案登録請求の範囲】
【請求項１】
、上蓋と、ベースと、モータと、減速装置と、二つの刃具部品とからなり、上蓋の上部に、紙入れ口、ＣＤ入れ口及びスウィッチが設けられ、モータと減速装置及び二つの刃具がされぞれベース上に位置付けられ、モータにより、複数のギアからなる減速装置が駆動され、同時に、二つの刃具を制御するギアが回転され、また、接続ギアの軸により二つの刃具が回転され、刃具の二つの円形紙細断の周りに、刃状の突起が設けられ、二つの紙細断が互いにずれる位置に位置するように結合される、紙とＣＤの細断装置であって、
減速装置のギアに接続ギアが接続され、接続ギアによりもう一つのギアが回転され、当該ギアと同軸であるもう１組の刃具のＣＤ刃具ギアにより、隣に位置するもう一つの刃具ギアが回転され、二つの刃具ギアにより、２組の刃具がそれぞれ回転され、また、２組の円柱形刃具は、互いに寄り添うように形成される刃具であり、刃具の表面に浮彫りが設けられ、ＣＤが、上蓋のＣＤ入れ口から二つの刃具の間に入れられると、浮彫りにより破壊される、
ことを特徴とする紙とＣＤの細断装置。
【考案の詳細な説明】
【技術分野】
【０００１】
本考案は、紙とＣＤの細断装置に関し、特に、独自の紙細断刃具と独自のＣＤ細断刃具を持ち、紙やＣＤを細断できる装置に関する。
【背景技術】
【０００２】
一般の従来の紙の細断装置は、図１と２のように、紙入れ口100と２組の刃具200が含有され、紙を細断することが出来るが、ＣＤを破壊することが出来ず、ある業者は、紙の細断装置に、更に、もう一つのＣＤ入れ口を増設して、同一の刃具が二つの入れ口によって使用されることにより、紙細断とＣＤ細断に供するが、共通の刃具で、異なる用途に使われるため、刃具が容易に破損して、紙の細断装置の耐用寿命が良くないという問題が残される。
【０００３】
本考案者は、業界においての長年経験を基づいて、慎重的に且つ何度もの研究改良により、従来の製品の欠陥を解消できる、新規な紙とＣＤの細断装置を提案する。
【考案の開示】
【考案が解決しようとする課題】
【０００４】
本考案は、紙とＣＤの細断装置を提供する。
【課題を解決するための手段】
【０００５】
本考案の主な目的は、一般の従来の紙の細断装置の刃具の傍に、接続ギアにより接続されるもう１組の円柱形刃具が設けられ、これにより、１組の紙細断と、１組の表面に浮彫りがあるＣＤ細断のための刃具は、ベースに設置され、モータと減速装置により駆動され、２組の異なる刃具により、紙とＣＤが、それぞれ細断され、独自の刃具を有するため、細断装置の耐用寿命を確保できる、ことを特徴とする紙とＣＤの細断装置を提供する。
【考案を実施するための最良の形態】
【０００６】
以下、図面を参照しながら、本考案を詳しく説明する。
【０００７】
本考案は、図３と図４のように、上蓋1と、ベース2と、モータ3と、減速装置4と、二つの刃具5、6とからなり、
また、上蓋1は、上部に、紙入れ口11、ＣＤ入れ口12及び細断装置のスウィッチ13が設けられ（図３のように）、上蓋1の底部に、集積回路板や電線及び各種類の回路素子が固定され、ベース2には、モータ3と減速装置4と２組の刃具5、6が位置付けられ、モータ3は、電線により、上蓋1の集積回路板とスウィッチに接続され、減速装置4がモータ3と連動して回転し、減速装置4は、複数のギアからなる減速機構であり、モータ3の芯軸31と減速装置4のギアセットとは、互いに軸支され、図５と図７のように、減速装置4のギアセットは、モータ3の芯軸31により、ギア41が回転され、ギア41と同軸であり小さいギア42により、大きいギア43が回転され、大きいギア43と同軸である小さいギア44により、もう一つの大きいギア45が回転され、大きいギア45と同軸である刃具ギア46により、刃具5の一つの刃具ギア51が回転され、また、もう一つの刃具ギア47が回転され、当該刃具ギア47により、更に他の刃具ギア52が回転され、
主として、上記の刃具ギア47により接続ギア48が回転され、当該接続ギア48によりもう一つのギア49が回転、当該ギア49と同軸であるもう１組の刃具6の刃具ギア491によりその隣に位置するもう一つの刃具ギア492が回転され、また、刃具6の２組の刃具ギア491、492により、刃具6の二つの刃具ギア61、62がそれぞれ回転され、ギアセットが刃具5、6の軸と軸支するため、二つの刃具5、6は、減速装置4に連動して回転され、図６のように、当該刃具5は、二つの周りに刃状の突起511、521を有する円形紙細断51、52が、互いにずれる位置に位置するように形成され、紙細断51、52の間隔に、紙ガイド53が設けられ、紙Aは、上蓋1の上部に位置する紙入れ口11から二つの紙細断51、52の間に入り、それによって細断される。
【０００８】
図８のように、もう一つの刃具6は、２組の円柱形の刃具61、62が互いに寄り添うように形成され、当該刃具61、62の表面に、浮彫り（エンボシング）が設けられ、ＣＤBは、上蓋1の上部に位置するもう一つのＣＤ入れ口12から二つの刃具61、62の間に入り、それによって破壊される。
【０００９】
上記の説明のように、本考案に係わる紙とＣＤの細断装置は、ベースに、紙細断装置とＣＤ細断装置とが収納され、接続ギアによる接続される２組の異なる装置により、されぞれ、紙とＣＤが細断され、これにより、機密漏れを防止することが実現され、また、本考案は、公的に披露されることが無いため、法に従って、実用新案登録請求を出願する。
【図面の簡単な説明】
【００１０】
【図１】従来の製品の外観図
【図２】従来の製品の構成図
【図３】本考案の外観図
【図４】本考案の一部の立体構成図
【図５】本考案の側面断面図（紙細断）
【図６】本考案の刃具（紙細断）の断面概念図
【図７】本考案の側面断面図（ＣＤ細断）
【図８】本考案の刃具（ＣＤ細断）の断面概念図
【符号の説明】
【００１１】
(1)           上蓋
(11)          紙入れ口
(12)          ＣＤ入れ口
(13)          スウィッチ
(2)           ベース
(3)           モータ
(31)          芯軸
(4)           減速装置
(41)          ギア
(42)          小さいギア
(43)          大きいギア
(44)          小さいギア
(45)          大きいギア
(46、47)      刃具ギア
(48)          接続ギア
(49)          ギア
(491、492)    刃具ギア
(5、6)        刃具
(51、52)      紙細断
(511、521)    刃状の突起
(53)          紙ガイド
(61、62)      刃具
(100)         紙入れ口
(200)         刃具
(A)           紙
(B)           ＣＤ
【図１】
0003115527.tif 000003
【図２】
0003115527.tif 000004
【図３】
0003115527.tif 000005
【図４】
0003115527.tif 000006
【図５】
0003115527.tif 000007
【図６】
0003115527.tif 000008
【図７】
0003115527.tif 000009
【図８】
0003115527.tif 000010